【事件の表示】
　平成５年特許願第２２５２５１号「遊技システムにおける獲得遊技媒体管理装置」拒絶査定不服審判事件〔平成７年２月２８日出願公開、特開平７−５１４５８〕について、次のとおり審決する。
【結　論】
　本件審判の請求は、成り立たない。
【理　由】
１．手続きの経緯・本願発明
　本願は、平成５年８月１８日の出願であって、平成１４年６月１９日付で拒絶理由が通知され、平成１４年８月２０日付で意見書並びに手続補正書が提出され、平成１５年７月９付で拒絶査定がなされ、平成１５年８月１１日に審判請求がなされ、平成１５年９月１０日付で手続補正がなされたものである。
　　　　　　　　　　　　　　　　　　　　　　　　　　　
　そして、平成１５年９月１０日付の手続補正により補正された特許請求の範囲の請求項１に係る発明は、その請求項１において特定される下記のとおりのものである。
　　　　　　　　　　　　　　　　　　　　　　
　「複数の遊技台で遊技者により獲得された遊技媒体を計数する計数機と、この計数機に接続され、遊技者ごとに特定される会員カードを処理するカード処理機と、前記会員カードに基づいて景品払い出しを行う景品交換部と、前記計数機による計数情報を含む記憶情報を前記会員カードごとの口座に記録する記憶部、およひ全体の制御を行う制御部を有し、前記カード処理機および前記景品交換部と通信回線で接続された管理装置とを備え、
　前記カード処理機は、前記会員カード記録情報を読み出す会員カード読み取り手段と、この会員カード読み取り手段で読み出した会員カード記録情報を前記管理装置に送り、前記口座を特定する手段と、前記計数機で計数された遊技媒体総数から、交換可能な特殊景品の個数を算出するとともに、この特殊景品の交換を行った場合の余りである遊技媒体端数を算出する算出手段と、この算出手段によって算出された特殊景品の個数と遊技媒体数を表示する表示手段と、前記特殊景品の個数に相当する遊技媒体数、前記遊技媒体端数の少なくともいずれかを前記遊技媒体総数とともに選択させる選択手段とを備え、
　前記管理装置は、前記選択手段による選択があったとき、前記記憶手段に対して遊技媒体数に関する記憶情報を更新させる指示を送出する、ことを特徴とする遊技システムにおける獲得遊技媒体管理装置。」（以下、「本願発明」という。）
　　　　　　　　　　　　　　　　　　　　　　　　　　　
２．引用刊行物について
（１）引用刊行物１について
　平成１４年６月１９日付の拒絶の理由に引用された特開平４−２５３８８１号公報（以下、「引用刊行物１」という。）には、以下の技術事項が図面とともに記載されている。
　　　　　　　　　　　　　　　　　　　　　　　　　　　
・記載事項１
　「図中１０４は会員用記録媒体発行センターの一例の景品カード発行会社であり、ＣＰＵ，ＲＡＭ，ＲＯＭ等を内蔵する集中管理コンピュータ１１２が設置されている。この集中管理コンピュータ１１２と各遊技場１００，１０１…に設置されているターミナルボックス１１０とが通信回線により接続されており情報の伝達が可能に構成されている。図中１０５，１０６，１０７は、景品カード発行会社１０４に加盟している会員用記録媒体取扱店の一例の加盟店であり、それぞれに、ＣＰＵ，ＲＡＭ，ＲＯＭを内蔵する加盟店用管理コンピュータ１１９，１２０，１２１が設置されている。それらの加盟店用管理コンピュータ１１９，１２０，１２１と景品カード発行会社の集中管理コンピュータ１１２とが通信回線により接続されており、情報の伝達が可能に構成されている。なお、加盟店１０７には、前記玉貸カード発行会社１０３から発行された玉貸カード１３４を顧客に販売するための玉貸カード販売機１２２が設置されており、その玉貸カード販売機１２２と景品カード発行会社１０４の集中管理コンピュータ１１２とがターミナルボックス１２３を介して通信回線により接続されており、情報の伝達が可能に構成されている。さらに、玉貸カード販売機１２２と玉貸カード発行会社１０３の集中管理コンピュータ１１１とがターミナルボックス１２４を介して通信回線により接続されており、情報の伝達が可能に構成されている。」（段落【００１４】）
　　　　　　　　　　　　　　　　　　　　　　　　　　　
・記載事項２
　「玉貸カード発行会社１０３から遊技場１００に出荷された玉貸カード１３４は玉貸カード販売機４により利用者（遊技者）に販売される。利用者は代金または後述する会員用記録媒体の一例の景品カード１３６（図５参照）を玉貸カード販売機４に挿入することにより所定の金額が記録された玉貸カードが付与される。利用者は遊技場に設置されている複数の遊技機の一例のパチンコ機２の中から遊技してみたいパチンコ機２に対応したカード処理機（カード玉貸機）３に前記玉貸カードを挿入する。そしてその玉貸カードに記録されている金額を使用することによりパチンコ機２に遊技玉が払出されて遊技が可能となる。」（段落【００１６】）　　
　　　　　　　　　　　　　　　　　　　　　　　　　　　
・記載事項３
　「そして、遊技が終了すれば、遊技に使用した金額だけ玉貸カード１３４に記録されている金額が減額更新されてその残額が記録された玉貸カード１３４が遊技者に払出されるとともに、遊技機による遊技の結果遊技者に付与される付与有価価値の一例の景品玉が利用者に払出される。利用者は、その払出された景品玉を景品処理装置５の景品玉計数器７（図２参照）に投入し、その投入された景品玉数が計数される。この景品処理装置５は、投入された景品玉数に相当する有価価値の範囲内で、景品カード１３６（図５参照）に記録されている有価価値の加算更新をしたり、特殊景品１３８（図６参照）との交換を可能にしたり、玉数カード１３４（図４参照）を発行したりする機能を有する。さらに、この景品処理装置５は、景品カード１３６を新規発行する機能も有する。この景品カード１３６とは、所定の会員向けに発行される会員用のカードであり、この景品カードにより、所定の会員向けに発行された会員用記録媒体が構成されている。発行された玉数カード１９を利用者がカウンタ１１４に設けられている玉数カード読取装置５００に挿入してその玉数カード１９に記録されている玉数情報を読取ってもらい、その読取った玉数情報の範囲内でたばこやチョコレート等の一般景品との交換が可能に構成されている。」（段落【００１７】）
　　　　　　　　　　　　　　　　　　　　　　　　　　　
・記載事項４
　「遊技場１００内に設置された玉貸カード販売機４，カード処理機３，パチンコ機２，景品処理装置５，玉数カード読取装置５００はそれぞれホール用管理コンピュータ６に接続されており、情報の伝達が可能に構成される。このホール用管理コンピュータ６は、ＣＰＵ，ＲＡＭ，ＲＯＭ等を内蔵しており、玉貸カード販売金額，玉貸カード使用金額，パチンコ機２の利益球数や不利益球数，景品処理装置５によって計数された景品玉の個数データ，玉数カードを使用しての一般景品の交換額情報，景品カードの増額更新情報，景品カードの新規発行情報，特殊景品の交換額情報等の遊技場で発生する種々の情報を集中管理する。なお、景品処理装置５によって発行された玉数カードは、当該遊技場１００でかつ当日限りという条件で景品交換することが可能なものである。この玉数カード１９に記録されている玉数情報と同じ情報がホール用管理コンピュータ６にも記憶されており、玉数カード１９が使用されてその記憶玉数が減額更新される毎にホール用管理コンピュータ６の対応する玉数情報も減額更新され、玉数カード１９が使用される毎にその玉数カード１９に記録されている玉数情報とホール用管理コンピュータに記憶されている玉数情報とが一致するか否かをチェックするいわゆる背番号管理が行なわれている。利用者に払出された景品カード１３６を玉貸カード販売機４に挿入してその景品カードに記録されている有価価値の範囲内で利用者が玉貸カード１３４を購入することができる。」（段落【００１８】）
　　　　　　　　　　　　　　　　　　　　　　　　　　
・記載事項５
　「遊技場１００に設置されている玉貸カード販売機４の景品カード使用による売上額（販売額）に関する情報がターミナルボックス１１０を介して通信回線により景品カード発行会社１０４の集中管理コンピュータ１１２に伝送される。なおこのターミナルボックス１１０と集中管理コンピュータ１１２とは必ずしもオンラインにより接続する必要はなく、玉貸カード販売額を集計してその集計金額を記載した伝票等を作成し、その伝票等によるオフラインにより玉貸カード販売額を集中管理コンピュータ１１２に入力してもよい。」（段落【００１９】）
　　　　　　　　　　　　　　　　　　　　　　　　　　
・記載事項６
　「また、遊技場内に特殊景品交換装置を設け、利用者が払出された特殊景品をこの特殊景品交換装置に挿入することによりその挿入された特殊景品１３８に相当する金額の現金が利用者に払出されるようにしてもよい。なお、現金の払出しの代わりに利用者の景品カード１３６の残額を増額更新するようにしてもよい。この特殊景品交換装置を設ける場合には、その特殊景品交換装置をターミナルボックスを介して景品カード発行会社１０４の集中管理コンピュータ１１２に接続し、特殊景品１３８の景品カード発行会社１０４への入庫額が集中管理コンピュータ１１２に伝送されるように構成するのが望ましい。」（段落【００２０】）
　　　　　　　　　　　　　　　　　　　　　　　　　　
・記載事項７
　「遊技者はその払出された景品玉を景品処理装置５の景品玉計数器７に投入する。」（段落【００３０】）
　　　　　　　　　　　　　　　　　　　　　　　　　　
・記載事項８
　「景品玉計数器７では、投入された景品玉を計数してその計数値を配線７ａを介して景品処理装置本体５′に入力する。この景品玉計数器７により、遊技者に付与された価値物体を計数して該価値物体が有する付与有価価値の大きさを算出する算出手段が構成されている。なお、この景品玉計数器７を景品処理装置本体５′内に組込んでもよい。景品処理装置本体５′では、その入力された景品玉情報の範囲内で、景品カード１３６を新規発行したり増額更新したり特殊景品１３８を払出したり、玉数カード１９を払出したりする。」（段落【００３１】）
　　　　　　　　　　　　　　　　　　　　　　　　　　
・記載事項９
　「景品処理装置５により新規景品カード１３６を払出す場合には、まず、遊技者に規定の用紙に住所，氏名，電話番号等の必要事項を手書で記入してもらい、その記入用紙を記入用紙投入口６３に投入してもらう。記入用紙投入口６３に投入された記入用紙は、光学的文字読取装置たとえばＯＣＲ等からなる文字読取装置６４により読取られ、その後記入用紙が記入用紙収納部６５に収納される。文字読取装置６４で読取った結果識別可能と判断されれば可能な旨の表示をブラウン管表示器７６により表示し、識別不可能であった場合には不能原因をブラウン管表示器７６により表示する。そして、識別可能であった場合には、景品カード登録キー８４を遊技者が押圧して、景品カード収納部６２に収納されている景品カードを１枚取出して識別機６１により識別するとともに必要な情報をその景品カード１３６に書込んで景品カード投入・排出口６０からその景品カード１３６を払出す。」（段落【００３２】）
　　　　　　　　　　　　　　　　　　　　　　　　　　
・記載事項１０
　「次に、特殊景品１３８を払出す場合には、まず遊技者が景品玉計数器７に景品玉を投入する。すると、景品玉表示器７４にその投入玉数が表示され、遊技者が特殊景品払出キー７８を押圧操作すれば、特殊景品１３８の内訳がブラウン管表示器７６により表示される。この特殊景品の内訳とは、たとえば、景品玉計数器７に投入された景品玉の合計金額が７０００円だったとした場合に、５０００円の価値を有する特殊景品１個と１０００円の価値を有する特殊景品２個とを払出す旨の表示である。次に遊技者が確認キー８３を押圧操作すれば、そのブラウン管表示器７６で表示されている内訳どおりの特殊景品１３８が特殊景品収納部６８から取出されて特殊景品払出装置６７により特殊景品払出口６６から遊技者側に払出される。その後、レシート発行装置７３によりレシートが印字されてレシート発行口７２から遊技者側にレシートが払出される。」（段落【００３３】）
　　　　　　　　　　　　　　　　　　　　　　　　　　
・記載事項１１
　「次に、一般景品と景品交換可能な玉数カードを払出す場合には、まず遊技者が景品玉計数器７に景品玉を投入する。すると、前述と同様に景品玉表示器７４にその投入玉数が表示され、そのうち遊技者が一般景品玉数カード払出キー７９を押圧操作する。すると、一般景品玉数カード払出装置７０により一般景品玉数カード収納部７１から一般景品玉数カードが取出されて前記投入した景品玉数データが記録されて一般景品玉数カード払出口６９から遊技者側にその玉数カード１９が払出される。」（段落【００３４】）
　　　　　　　　　　　　　　　　　　　　　　　　　　
・記載事項１２
　「次に、景品カード１３６を増額更新する場合には、まず遊技者が景品玉計数器７に景品玉を投入し、その投入玉数が玉数表示器７４により表示され、次に遊技者が景品カード投入・払出口６０に自己の所有する景品カード１３６を挿入する。次に遊技者が暗証番号を数字キー７５から入力する。すると、挿入された景品カードに記録されている残景品金額がブラウン管表示器７６により表示される。この残景品金額とは、挿入された景品カードに既に記録されている金額のことである。次に遊技者が景品更新キー８０を押圧操作すると、挿入された景品カード１３６に対し、投入景品玉に相当する景品金額を加算更新した新たな景品金額が景品カード識別器６１により書込まれる。そして新たな景品金額が書込まれた景品カード１３６が景品カード挿入・排出口６０から遊技者側に払出される。その後レシート発行口７２からレシートが発行される。この景品カード識別器６１により、所定の会員向けに発行された会員用記録媒体により特定される有価価値に対し、前記算出手段によって算出された付与有価価値を加算可能な有価価値加算手段が構成されている。また、この有価価値加算手段は、前記付与有価価値のすべてを加算するものでもよく、また、利用者による加算額の指定操作等に基づいて、前記付与有価価値の範囲内で指定された有価価値だけ加算するものでもよい。」（段落【００３５】）
　　　　　　　　　　　　　　　　　　　　　　　　　　
・記載事項１３
　「次に、利用者が自己の景品カード１３６を使用して遊技場のカウンタ１１４に備えられている景品カタログを見てそのカタログに掲載されている景品を入手したい場合には、まず自己の景品カード１３６を景品カード投入・払出口６０に投入する。次に暗証番号を数字キー７５により入力する。すると投入された景品カード１３６に記録されている残額景品金額がブラウン管表示器７６により表示され、次に景品番号指定キー８１を押圧操作した後、カタログ等を見て予め決めている希望の景品の景品番号を数字キー７５から入力する。するとその入力された景品番号がブラウン管表示器７６により表示される。次に景品個数指定キー８２を押圧操作した後に希望の景品の個数を数字キー７５から入力する。するとブラウン管表示器７６によりその入力された個数が表示される。その段階で、投入した景品カードに記録されている残景品金額等が不足する場合などのエラーの場合には、そのエラーの原因がブラウン管表示器７６により表示される。エラーでない場合であってかつ利用者が確認キー８３を押圧操作すればレシート１４１（図７参照）がレシート発行装置７３により印字されてレシート発行口７２から利用者に発行される。そして、投入された景品カード１３６は、景品交換に用いられた金額を減算した新たな残景品金額に更新されて景品カード投入・排出口６０から利用者に返却される。なお、図中１０ａは景品処理装置５とターミナルボックス１１０とを接続する接続配線であり、この接続配線１０ａ，ターミナルボックス１１０を介して、前述した景品カードの新規発行時に入力された利用者の住所，氏名，電話番号等の必要事項に関する情報が景品カード発行会社１０４の集中管理コンピュータ１１２に伝送される。つまり、この景品処理装置５には、前記会員用記録媒体の発行元に前記会員用記録媒体の管理を行なうための情報を提供するべく、少なくとも前記有価価値加算手段によって加算された有価価値情報を出力する情報出力手段が含まれている。さらに、前述した数字キー７５から入力された景品番号や景品個数ならびに投入された景品カード１３６のカードナンバー等がこの接続配線１０ａとターミナルボックス１１０とを介して景品カード発行会社１０４の集中管理コンピュータ１１２に伝送される。集中管理コンピュータ１１２では、伝送されてきた利用者の住所，氏名，電話番号等の必要事項をその利用者が所持している景品カードの番号と対応させて記憶しており、景品カード１３６のカード番号が伝送されてくればそのカード番号からその景品カード１３６の所持者の住所，氏名，電話番号等の必要事項を割出し、その利用者の住所に近い加盟店の加盟店用管理コンピュータに景品番号とその個数情報ならびに景品の送り先である利用者の住所，氏名，電話番号等が送信される。」（段落【００３６】）
　　　　　　　　　　　　　　　　　　　　　　　　　　
・記載事項１４
　「図７は、景品交換所１０２でカタログを利用して景品を選択して景品交換を行なった場合に景品処理装置（景品カード処理器）９から発行されたレシートであり、図示したような情報が印刷されている。図３〜図６に示した各種カードおよび図７に示した特殊景品は磁気カードに限らず、ＩＣカード，光カード（光ディスクメモリを利用したもの），感熱式カード，バーコードを付したカード，パンチ孔を穿設したカード等、種々のもので構成してもよい。また、図３〜図５に示した各種カードには玉数情報や残額情報を記録し更新するようにしたが、玉数情報や残額情報をカードに記録することなく、カード番号を元にしてホール用管理コンピュータ６や集中管理コンピュータ１１１，１１２において玉数情報や残額情報を更新するようにしてもよい。」（段落【００４５】）
　　　　　　　　　　　　　　　　　　　　　　　　　　
　以上の記載事項１〜記載事項１４の記載及び図１〜図１４によれば、引用刊行物１には次の発明が記載されていると認められる。
　　　　　　　　　　　　　　　　　　　　　　　　　　
　「複数のパチンコ機２で利用者（遊技者）により払い出された景品玉を計数する景品玉計数器７と、この景品玉計数器７に接続され、利用者（遊技者）ごとに特定される景品カード１３６を処理するとともに、景品カード１３６に基づいて景品払い出しを行う景品処理装置本体５’と、景品玉計数器７によって計数された景品玉の個数データ等の種々の情報を集中管理し、景品処理装置本体５’と通信回線により接続されたホール用管理コンピュータ６とを備え、景品処理装置本体５’は、景品カード記録情報を読み出す景品カード読み取り手段と、この景品カード読み取り手段で読み出した景品カード記録情報をホール用管理コンピュータ６に送り、景品玉計数器７に投入された景品玉の個数データ（遊技媒体総数）から、交換可能な特殊景品の個数を算出するとともに、景品交換に用いられた金額を減算した新たな残景品金額を算出し、この算出された特殊景品の個数を表示するブラウン管表示器７６と、を備えるホール用管理コンピュータ６。」（以下、「引用刊行物１に記載された発明」という。）
　　　　　　　　　　　　　　　　　　　　　　　　　　
（２）引用刊行物２について
　平成１４年６月１９日付の拒絶の理由に引用された特開平２−２３９８０号公報（以下、「引用刊行物２」という。）には、以下の技術事項が図面とともに記載されている。
　　　　　　　　　　　　　　　　　　　　　　　　　　
・記載事項１５
　「本発明は、遊技客に対しその獲得パチンコ玉に応じた景品を払出すためのパチンコホール用景品払出しシステムに関する。」（公報１頁右下欄第１３行〜第１５行）
　　　　　　　　　　　　　　　　　　　　　　　　　　
・記載事項１６
　「さて、第２図及び第３図において、２１はパチンコホール内の景品交換カウンタに設置された景品払出し装置であり、これは本体ケース２２及びこの本体ケース２２上に立設された払出し手段たる表示ユニット２３を備えて成る。本体ケース２２には、その前面側に磁気カード６を挿入するための挿入口２４が設けられており、後面側（パチンコホール従業員側）にはリセットスイッチ２５、テンキーを備えたキーボード２６及び入力表示部２７が設けられている。表示ユニット２３の前面側には、磁気カード６に記録された数値情報Ｄｎをデジタル表示する数値表示部２８ａ、特定景品の交換個数をデジタル表示する交換個数表示部２８ｂ、余りパチンコ玉数をデジタル表示する余り玉数表示部２８ｃより成る表示器２８が設けられている（第２図参照）。また、表示ユニット２３の後面側には、前記数値表示部２８ａ、交換個数表示部２８ｂ、余り玉数表示２８ｃと同様機能の数値表示部２９ａ、交換個数表示部２９ｂ、余り玉数表示２９ｃより成る表示器２９が設けられていると共に、例えば緑色の正常表示灯３０及び例えば赤色の異常表示灯３１が夫々設けられている（第３図参照）。」（公報５頁左上欄第１７行〜同右上欄第１９行）
　　　　　　　　　　　　　　　　　　　　　　　　　　
　以上の記載事項１５〜記載事項１６の記載及び第２図、第３図によれば、引用刊行物２には次の発明が記載されていると認められる。
　　　　　　　　　　　　　　　　　　　　　　　　　　　
　「パチンコホール用景品払出しシステムにおいて、遊技者が計数機において計数された景品玉数を読み込ませたカードからデータを読み取った上で、遊技媒体総数に相当する数値を表示部２８ａに表示するとともに、特殊景品に交換可能な個数を算出して景品交換個数表示部２８ｂに表示し、かつ、特殊景品の交換を行った場合の遊技媒体の端数である余り玉数を表示部２８ｃに表示している表示手段を有する景品交換に用いるカード処理機」（以下、「引用刊行物２に記載された発明」という。）
　　　　　　　　　　　　　　　　　　　　　　　　　　　
３．本願発明についての検討
（１）引用刊行物１に記載された発明との対比
　引用刊行物１に記載された発明と本願発明を対比すると、引用刊行物１に記載された発明の「パチンコ機２」は本願発明の「遊技台」に相当し、以下同様に、「利用者（遊技者）」は「遊技者」、「景品玉計数器７」は「計数機」、「景品カード１３６」は「会員カード」、「景品カード記録情報」は「会員カード記録情報」、「景品カード読み取り手段」は「会員カード読み取り手段」、「景品玉の個数データ」は「遊技媒体総数」、「ブラウン管表示器７６」は「表示手段」にそれぞれ相当している。
　そして、引用刊行物１に記載された発明は、以下の構成を実質的に具備しているといえる。
　　　　　　　　　　　　　　　　　　　　　　　　　　　
・実質的具備事項１
　上記記載事項８の「景品玉計数器７では、投入された景品玉を計数してその計数値を配線７ａを介して景品処理装置本体５′に入力する。この景品玉計数器７により、遊技者に付与された価値物体を計数して該価値物体が有する付与有価価値の大きさを算出する算出手段が構成されている。なお、この景品玉計数器７を景品処理装置本体５′内に組込んでもよい。景品処理装置本体５′では、その入力された景品玉情報の範囲内で、景品カード１３６を新規発行したり増額更新したり特殊景品１３８を払出したり、玉数カード１９を払出したりする。」、同記載事項１２の「次に、景品カード１３６を増額更新する場合には、まず遊技者が景品玉計数器７に景品玉を投入し、その投入玉数が玉数表示器７４により表示され、次に遊技者が景品カード投入・払出口６０に自己の所有する景品カード１３６を挿入する。次に遊技者が暗証番号を数字キー７５から入力する。すると、挿入された景品カードに記録されている残景品金額がブラウン管表示器７６により表示される。この残景品金額とは、挿入された景品カードに既に記録されている金額のことである。次に遊技者が景品更新キー８０を押圧操作すると、挿入された景品カード１３６に対し、投入景品玉に相当する景品金額を加算更新した新たな景品金額が景品カード識別器６１により書込まれる。そして新たな景品金額が書込まれた景品カード１３６が景品カード挿入・排出口６０から遊技者側に払出される。その後レシート発行口７２からレシートが発行される。この景品カード識別器６１により、所定の会員向けに発行された会員用記録媒体により特定される有価価値に対し、前記算出手段によって算出された付与有価価値を加算可能な有価価値加算手段が構成されている。また、この有価価値加算手段は、前記付与有価価値のすべてを加算するものでもよく、また、利用者による加算額の指定操作等に基づいて、前記付与有価価値の範囲内で指定された有価価値だけ加算するものでもよい。」なる記載、および下記実質的具備事項２の遊技者ごとに特定できるカードに関する記載に基づけば、景品処理装置本体５’は、遊技者が特定される情報は備えた景品カード１３６のデータを読み取るともに、加算更新した新たな景品金額を景品カード１３６に記録するカード処理機能を果たしていること、景品カード１３６に基づいて特殊景品１３８を払い出す景品交換機能を果たしていること、および景品カード１３６は遊技者ごとに特定できるカードであることは明らかであるから、景品処理装置本体５’は、遊技者ごとに特定される景品カード１３６を処理するカード処理機と、景品カード１３６に基づいて景品払い出しを行う景品交換部を兼ねているということができる。
　そして、引用刊行物１に記載された発明の「景品カード１３６」が「会員カード」に相当していることは、上記３．（１）の柱書きにおいて、示したとおりである。
　そうすると、引用刊行物１に記載された発明の景品処理装置本体５’は、遊技者ごとに特定される会員カードを処理するカード処理機と、会員カードに基づいて景品払い出しを行う景品交換部を実質的に具備しているということができる。
　　　　　　　　　　　　　　　　　　　　　　　　　　
・実質的具備事項２
　上記記載事項４の「・・・パチンコ機２，景品処理装置５，・・・はそれぞれホール用管理コンピュータ６に接続されており、情報の伝達が可能に構成される。このホール用管理コンピュータ６は、ＣＰＵ，ＲＡＭ，ＲＯＭ等を内蔵しており、・・・カード販売金額，玉貸カード使用金額，パチンコ機２の利益球数や不利益球数，景品処理装置５によって計数された景品玉の個数データ，玉数カードを使用しての一般景品の交換額情報，景品カードの増額更新情報，景品カードの新規発行情報，特殊景品の交換額情報等の遊技場で発生する種々の情報を集中管理する。・・・玉数カード１９が使用される毎にその玉数カード１９に記録されている玉数情報とホール用管理コンピュータに記憶されている玉数情報とが一致するか否かをチェックするいわゆる背番号管理が行なわれている。・・・」なる記載、上記実質的具備事項１において、景品処理装置本体５’は、カード処理機と景品交換部を兼ねていることが明らかであること、および図２に基づけば、ホール用管理コンピュータ６は、景品処理装置本体５’において読み取られた計数機による計数情報や会員カードごとの口座情報を含む遊技者に関する種々の情報を記憶情報として記憶するＲＡＭ等の記憶部と、およびパチンコ機２、景品処理装置５等を集中管理するＣＰＵを有し、パチンコ機、景品処理装置５と通信回線で接続されていることは明らかであり、かつ、ホール用管理コンピュータ６は、種々の情報を集中管理しているのであるから、本願発明の「管理装置」と同じような管理機能を果たしていることも明らかである。
　また、下記の実質的具備事項３に示すように、ホール用管理コンピュータ６は、会員カードごとの口座を記憶していることも明らかである。
　従って、ホール用管理コンピュータ６は、会員カードごとの口座に景品玉計数器７による景品玉の個数データである計数情報を含む記憶情報を記憶するＲＡＭ等の記憶部を有するとともに、それぞれ通信回線で接続された景品処理装置本体５’、パチンコ機２、景品玉計数器７などを全体的に制御していることということができる。
　そして、引用刊行物１に記載された発明の「景品玉計数器７」は、「計数機」に相当していることは、上記３．（１）の柱書きにおいて、示したとおりである。
　そうすると、引用刊行物１に記載された発明は、計数機による計数情報を含む記憶情報を会員カードごとの口座に記録する記憶部、および全体の制御を行う制御部を有し、カード処理機および景品交換部と通信回線で接続された景品交換部と通信回線で接続された管理装置を実質的に具備しているということができる。
　　　　　　　　　　　　　　　　　　　　　　　　　　　
・実質的具備事項３
　上記実質的具備事項２の記載、上記記載事項９の「景品処理装置５により新規景品カード１３６を払出す場合には、まず、遊技者に規定の用紙に住所，氏名，電話番号等の必要事項を手書で記入してもらい、・・・文字読取装置６４で読取った結果識別可能と判断されれば・・・景品カード収納部６２に収納されている景品カードを１枚取出して識別機６１により識別するとともに必要な情報をその景品カード１３６に書込んで景品カード投入・排出口６０からその景品カード１３６を払出す。」、および同記載事項１４の「・・・カード番号を元にしてホール用管理コンピュータ６や集中管理コンピュータ１１１，１１２において玉数情報や残額情報を更新するようにしてもよい。」なる記載に基づけば、ホール用管理コンピュータ６は、景品処理装置本体５’において読み取られた計数機による計数情報や会員カードごとの口座情報を含む遊技者に関する種々の情報を記憶情報としてＲＡＭ等の記憶部に記憶していることは明らかであるから、引用刊行物１に記載された発明は、この景品カード読み取り手段で読み出した景品カード記録情報をホール用管理コンピュータ６に送り、口座を特定する手段を有していると解される。
　そして、引用刊行物１に記載された発明の「景品カード読み取り手段」「景品カード記録情報」は、本願発明の「会員カード読み取り手段」「会員カード記録情報」に相当していることは上記３．（１）の柱書きにおいて示したとおりであり、かつ、引用刊行物１に記載された発明の「ホール用管理コンピュータ６」が実質的に「管理装置」に相当していることも上記実質的具備事項２において示したとおりである。
　そうすると、引用刊行物１に記載された発明は、この会員カード読み取り手段で読み出した会員カード記録情報を管理装置に送り、口座を特定する手段を実質的に具備しているということができる。
　　　　　　　　　　　　　　　　　　　　　　　　　　
・実質的具備事項４　
　上記記載事項１０の「次に、特殊景品１３８を払出す場合には、まず遊技者が景品玉計数器７に景品玉を投入する。すると、景品玉表示器７４にその投入玉数が表示され、遊技者が特殊景品払出キー７８を押圧操作すれば、特殊景品１３８の内訳がブラウン管表示器７６により表示される。この特殊景品の内訳とは、たとえば、景品玉計数器７に投入された景品玉の合計金額が７０００円だったとした場合に、５０００円の価値を有する特殊景品１個と１０００円の価値を有する特殊景品２個とを払出す旨の表示である。次に遊技者が確認キー８３を押圧操作すれば、そのブラウン管表示器７６で表示されている内訳どおりの特殊景品１３８が特殊景品収納部６８から取出されて特殊景品払出装置６７により特殊景品払出口６６から遊技者側に払出される。その後、レシート発行装置７３によりレシートが印字されてレシート発行口７２から遊技者側にレシートが払出される。」、および上記記載事項１３の「・・・そのカタログに掲載されている景品を入手したい場合には、まず自己の景品カード１３６を景品カード投入・払出口６０に投入する。・・・そして、投入された景品カード１３６は、景品交換に用いられた金額を減算した新たな残景品金額に更新されて景品カード投入・排出口６０から利用者に返却される。・・・」なる記載に基づけば、景品玉計数機７で計数された景品玉の個数データに基づく景品カードの残額景品金額から景品交換を行った後の余りである残額景品額を計算しているのは明らかであるから、景品玉計数機７で計数された景品玉の個数データに基づく景品カードの残額景品金額から、交換可能な特殊景品の個数を算出するとともに、この特殊景品の交換を行った場合の余りである残額景品額を算出する算出手段を備えているということができる。
　そして、引用刊行物１に記載された発明の「景品玉計数機７」「景品玉の個数データ」は本願発明の「計数機」「遊技媒体総数」に相当していることは、上記３．（１）の柱書きにおいて示したとおりであり、引用刊行物１に記載された発明の「この特殊景品の交換を行った場合の余りである残額景品額」は、本願発明の「遊技媒体端数」を単に金額で示したものであり、両者は遊技有価価値を示す点で格別相違がないのであるから、両者は単に表現を異にしているにすぎないものということができる。
　また、引用刊行物１に記載された発明の「景品処理装置本体５’」は、本願発明の「カード処理機」に相当していることは上記実質的具備事項１において示したとおりである。
　そうすると、引用刊行物１に記載された発明において、カード処理機は、計数機で計数された遊技媒体総数から、交換可能な特殊景品の個数を算出するとともに、この特殊景品の交換を行った場合の余りである遊技媒体端数を算出する算出手段を実質的に具備しているということができる。
　　　　　　　　　　　　　　　　　　　　　　　　　　
・実質的具備事項５
　上記記載事項１１の「・・・すると、前述と同様に景品玉表示器７４にその投入玉数が表示され、そのうち遊技者が一般景品玉数カード払出キー７９を押圧操作する。すると、一般景品玉数カード払出装置７０により一般景品玉数カード収納部７１から一般景品玉数カードが取出されて前記投入した景品玉数データが記録されて一般景品玉数カード払出口６９から遊技者側にその玉数カード１９が払出される。」、同記載事項１２の「・・・次に遊技者が景品更新キー８０を押圧操作すると、挿入された景品カード１３６に対し、投入景品玉に相当する景品金額を加算更新した新たな景品金額が景品カード識別器６１により書込まれる。そして新たな景品金額が書込まれた景品カード１３６が景品カード挿入・排出口６０から遊技者側に払出される。・・・」なる記載、および同記載事項１３の「・・・景品を入手したい場合には、まず自己の景品カード１３６を景品カード投入・払出口６０に投入する。次に暗証番号を数字キー７５により入力する。すると投入された景品カード１３６に記録されている残額景品金額がブラウン管表示器７６により表示され、次に景品番号指定キー８１を押圧操作した後、カタログ等を見て予め決めている希望の景品の景品番号を数字キー７５から入力する。するとその入力された景品番号がブラウン管表示器７６により表示される。次に景品個数指定キー８２を押圧操作した後に希望の景品の個数を数字キー７５から入力する。するとブラウン管表示器７６によりその入力された個数が表示される。・・・利用者が確認キー８３を押圧操作すればレシート１４１（図７参照）が・・・利用者に発行される。そして、投入された景品カード１３６は、景品交換に用いられた金額を減算した新たな残景品金額に更新されて景品カード投入・排出口６０から利用者に返却される。・・・」なる記載に基づけば、景品番号指定キー８１、数字キー７５、景品個数指定キー８２、および確認キー８３は、遊技者が選択することができる選択キーを構成しているから、利用者が交換する特殊景品を選択し、その特殊景品の個数を選択すると、特殊景品個数がブラウン管表示器７６に表示されることは明らかである。
　ところで、同記載事項１０の「次に、特殊景品１３８を払出す場合には、まず遊技者が景品玉計数器７に景品玉を投入する。すると、景品玉表示器７４にその投入玉数が表示され、遊技者が特殊景品払出キー７８を押圧操作すれば、特殊景品１３８の内訳がブラウン管表示器７６により表示される。この特殊景品の内訳とは、たとえば、景品玉計数器７に投入された景品玉の合計金額が７０００円だったとした場合に、５０００円の価値を有する特殊景品１個と１０００円の価値を有する特殊景品２個とを払出す旨の表示である。次に遊技者が確認キー８３を押圧操作すれば、そのブラウン管表示器７６で表示されている内訳どおりの特殊景品１３８が特殊景品収納部６８から取出されて特殊景品払出装置６７により特殊景品払出口６６から遊技者側に払出される。その後、レシート発行装置７３によりレシートが印字されてレシート発行口７２から遊技者側にレシートが払出される。」なる記載に基づけば、遊技球が景品玉計数器に投入されると、その投入玉数がブラウン管表示器７６に表示されることは明らかであること、および、特殊景品の交換が景品玉表示器７４に投入した玉数による場合と景品カード１３６を用いる場合の両方可能であることを踏まえれば、景品カード１３６を景品処理装置本体５’に挿入して、交換する景品個数の選択を介して特殊景品を交換することを選択した場合には、景品玉表示器７４に投入した玉数による場合と同様に、挿入された景品カードに記憶されている残景品金額を、特殊景品の個数とともに、ブラウン管表示器７６に表示することができると解されるから、引用刊行物１に記載された発明の景品処理装置本体５’は、挿入された景品カードに記憶されている残景品金額を、特殊景品の個数とともに表示するように選択できる選択手段を有しているということができる。
　さらに、上記実質的具備事項２において示したように、管理装置は、計数機による計数情報を含む記憶情報を会員カードごとの口座に記録する記憶部、および全体の制御を行う制御部を有し、カード処理機および景品交換部と通信回線で接続された景品交換部と通信回線で接続されており、管理装置は全体の制御を行うこと、および景品カード１３６は、景品交換に用いられた金額を減算した新たな残景品金額に更新されて景品カード投入・排出口６０から利用者に返却されるのであるから、遊技者が特殊景品の払出しの選択を行った場合、景品処理装置本体５’は、景品カード１３６の景品金額に関する記憶情報をホール用管理コンピュータ６に送信するものと解され、また、ホール用管理コンピュータ６は、景品処理装置本体５’から送られてきた景品カード１３６の景品金額に関する情報を記憶部において更新させ記憶するように指示を出すものと解される。
　したがって、引用刊行物１に記載された発明の景品処理装置本体５’は、特殊景品の個数に相当する遊技媒体数、遊技媒体端数の少なくともいずれかを遊技媒体総数とともに選択できるような選択手段を有するということができ、また、引用刊行物１に記載された発明のホール用管理コンピュータ６はその記憶部に対して残景品金額に関する記憶情報を更新させる指示を送出するものであるということができる。
　そして、上記実質的具備事項４において示した同じ理由から、引用刊行物１に記載された発明の「投入景品玉に相当する景品金額を加算更新した新たな景品金額」「払出しを希望する特殊景品の個数」「特殊景品の払出しを行った後の残額景品金額」は、本願発明の「遊技媒体総数」「特殊景品の個数に相当する遊技媒体数」「遊技媒体端数」を単に金額または景品の個数で示したものにすぎないということができる。
　また、引用刊行物１に記載された発明の「景品処理装置本体５’」「ホール用管理コンピュータ６」「記憶部」は、本願発明の「カード処理機」「管理装置」「記憶手段」に相当していることは上記実質的具備事項１と上記実質的具備事項２において示したとおりである。
　そうすると、引用刊行物１に記載された発明において、カード処理機は、特殊景品の個数に相当する遊技媒体数、遊技媒体端数の少なくともいずれかを遊技媒体総数とともに選択できるような選択手段を有するとともに、管理装置は、選択手段による選択があったとき、記憶手段に対して遊技媒体数に関する記憶情報を更新させる指示を送出する構成を実質的に具備しているということができる。
　　　　　　　　　　　　　　　　　　　　　　　　　　
・実質的具備事項６
　上記実質的具備事項１〜５を基づけば、引用刊行物１に記載された発明において、ホール用管理コンピュータ６とパチンコ機２と景品管理装置本体５’と計数機とから構築されるシステムは、景品玉の個数データや景品カードの増額更新情報等を含む遊技者に関する種々の情報である記憶情報を管理する管理装置を備えていることは明らかである。
　そして、引用刊行物１に記載された発明の「景品玉」は本願発明の「獲得遊技媒体」に他ならない。
　そうすると、引用刊行物１に記載された発明は、遊技システムにおける獲得遊技媒体管理装置を実質的に具備しているということができる。
　　　　　　　　　　　　　　　　　　　　　　　　　　　　　　　　
　そこで、本願発明と引用刊行物１に記載された発明を対比すると、
　「複数の遊技台で遊技者により獲得された遊技媒体を計数する計数機と、この計数機に接続され、遊技者ごとに特定される会員カードを処理するカード処理機と、会員カードに基づいて景品払い出しを行う景品交換部と、計数機による計数情報を含む記憶情報をする記憶部、および全体の制御を行う制御部を有し、カード処理機および景品交換部と通信回線で接続された管理装置とを備え、カード処理機は、会員カード記録情報を読み出す会員カード読み取り手段と、この会員カード読み取り手段で読み出した会員カード記録情報を管理装置に送り、会員口座を特定する手段と、計数機で計数された遊技媒体総数から、交換可能な特殊景品の個数を算出するとともに、この特殊景品の交換を行った場合の余りである遊技媒体端数を算出する算出手段と、この算出手段によって算出された特殊景品の個数を表示する表示手段と、特殊景品の個数に相当する遊技媒体数、遊技媒体端数の少なくともいずれかを遊技媒体総数とともに選択できるような選択手段を備え、管理装置は、記憶手段に対して記憶情報を更新させる指示を送出する遊技システムにおける獲得遊技媒体管理装置。」の点で一致し、以下の点で相違している。
　　　　　　　　　　　　　　　　　　　　　　　　　　
１）相違点１ 
　交換可能な特殊景品の個数を算出する際に、算出手段が、本願発明においては計数で計数された遊技媒体総数からこの特殊景品の交換を行った場合の余りである遊技媒体端数を算出するのに対して、引用刊行物１に記載された発明においては計数機で計数された景品玉から景品交換に用いられた金額を減算した新たな残景品金額を算出する点。
　　　　　　　　　　　　　　　　　　　　　　　　　　
２）相違点２ 
　特殊景品の交換を行った場合の残りの数値として算出手段が算出して表示手段に表示する数値が、本願発明においては、特殊景品の個数と遊技媒体数であるのに対して、引用刊行物１に記載された発明においては、特殊景品の個数のみである点。
　　　　　　　　　　　　　　　　　　　　　　　　　　
（２）判断
　上記相違点について検討する。
１）相違点１について
　引用刊行物２に記載された発明には、パチンコホール用景品払出しシステムにおいて、遊技者が計数機において計数された景品玉数を読み込ませたカードからデータを読み取った上で、遊技媒体総数に相当する数値を表示部２８ａに表示するとともに、特殊景品に交換可能な個数を算出して景品交換個数表示部２８ｂに表示し、かつ、特殊景品の交換を行った場合の遊技媒体の端数である余り玉数を表示部２８ｃに表示している表示手段を有する景品交換に用いるカード処理機が示されている。
　一方、引用刊行物１に記載された発明においては、計数機で計数された景品玉から景品交換に用いられた金額を減算した新たな残景品金額で示しているものの、この減算された残景品金額は、残った遊技有価価値を示すものであり、引用刊行物１に記載された発明と引用刊行物２に記載された発明が示すものは実質的に残った遊技価値を示すものに他ならない。
　してみると、引用刊行物１に記載された発明と引用刊行物２に記載された発明は、その表現において異なるものの、景品交換時に残った遊技有価価値を示す点で機能は同じであるから、残った遊技有価価値を遊技媒体数で表現するか、残った景品金額で表現するかは、当業者が必要に応じてなし得る設計的事項にすぎない。
　そして、引用刊行物１に記載された発明と引用刊行物２に記載された発明は、パチンコ技術分野の景品交換をする際に景品交換部において遊技媒体数を表示する技術において関連しているのであるから、両者間で技術を利用することに格別の困難性は見出し得ない。
　そうすると、引用刊行物１に記載された発明の計数機で計数された景品玉から景品交換に用いられた金額を減算した新たな残景品金額に代えて、引用刊行物２に記載された発明の特殊景品に交換可能な個数を算出して景品交換個数表示部２８ｂに表示し、かつ、特殊景品の交換を行った場合の遊技媒体の端数である余り玉数を表示部２８ｃに表示することを適用して、交換可能な特殊景品の個数を算出する際に、算出手段が計数で計数された遊技媒体総数から特殊景品の交換を行った場合の余りである遊技媒体端数を算出するようにすること、すなわち上記相違点１に係る構成とすることは、当業者が引用刊行物１に記載された発明および引用刊行物２に記載された発明に基づいて容易になし得る程度のことということができる。
　　　　　　　　　　　　　　　　　　　　　　　　　　　
２）相違点２について
　引用刊行物２に記載された発明には、パチンコホール用景品払出しシステムにおいて、遊技者が計数機において計数された景品玉数を読み込ませたカードからデータを読み取った上で、遊技媒体総数に相当する数値を表示部２８ａに表示するとともに、特殊景品に交換可能な個数を算出して景品交換個数表示部２８ｂに表示し、かつ、特殊景品の交換を行った場合の遊技媒体の端数である余り玉数を表示部２８ｃに表示している表示手段を有する景品交換に用いるカード処理機が示されている。
　そして、引用刊行物１に記載された発明と引用刊行物２に記載された発明は、パチンコ技術分野の景品交換をする際に景品交換部において遊技媒体数を表示する技術において関連しているのであるから、両者間で技術を相互に利用することに格別の困難性は見出し得ない。
　そうすると、引用刊行物１に記載された発明のカード処理機において算出されて表示手段に特殊景品の個数を表示することに代えて、引用刊行物２に記載された発明の特殊景品に交換可能な個数を算出して景品交換個数表示部２８ｂに表示し、かつ、特殊景品の交換を行った場合の遊技媒体の端数である余り玉数を表示部２８ｃに表示することを適用して、カード処理機の表示手段において、特殊景品の交換を行った場合の残りの数値として算出手段が算出して表示する数値を特殊景品の個数と遊技媒体数とすること、すなわち上記相違点２に係る構成とすることは、当業者が引用刊行物１に記載された発明および引用刊行物２に記載された発明に基づいて容易になし得る程度のことということができる。
　　　　　　　　　　　　　　　　　　　　　　　　　　
　以上のとおり、本願発明は、引用刊行物１に記載された発明および引用刊行物２に記載された発明に基づいて、当業者が容易に発明できたものである。
　　　　　　　　　　　　　　　　　　　　　　　　　　　
（３）作用効果
　本願発明によって奏する効果も、引用刊行物１に記載された発明および引用刊行物２に記載された発明から普通に予測できる範囲内のものであって格別のものがあるとは認められない。
　　　　　　　　　　　　　　　　　　　　　　　　　　　
４．むすび
　上記のとおりであるので、本願発明は、引用刊行物１に記載された発明および引用刊行物２に記載された発明に基づいて、当業者が容易に発明をすることができたものであり、特許法第２９条第２項により特許を受けることができないものである。
　よって、結論のとおり審決する。